(57)【要約】【課題】  発光体から発せられた光を広範囲に亘って認識することを可能とするとともに、遠距離からも前記光を認識することを可能とする支柱を提供する。【解決手段】  下端部が地中に埋設される状態で設置される本体部１０と、この本体部１０に形成された発光ユニット２０とを備えた支柱１であって、発光ユニット２０は、透光性を有するカバー部２１と、該カバー部内部に収納された発光体２２とを備えている。そして、カバー部２１には、表面が凹凸形状に形成されることにより前記発光体から発せられた光の一部を散乱させた状態で光を透過する光散乱部２１ａと、表面が平滑に形成されることにより、前記発光体から発せられた光のうち、前記光散乱部で散乱させられた光以外の光を散乱させずに透過する直進透過部２１ｂとを備えている。【選択図】      図１
2005207024.tif 000002
【特許請求の範囲】
【請求項１】
下端部が地中に埋設される状態で設置される支柱本体と、この支柱本体に形成された発光ユニットとを備えた支柱であって、
発光ユニットは、透光性を有するカバー部と、該カバー部内部に収納された発光体とを備え、
前記カバー部は、前記発光体から発せられた光の一部を散乱させた状態で光を透過する光散乱部と、前記発光体から発せられた光のうち、前記光散乱部で散乱させられた光以外の光を散乱させずに透過する直進透過部とを備えた
ことを特徴とする支柱。
【請求項２】
請求項１記載の支柱において、
前記光散乱部は、前記カバー部の内表面及び外表面のうち、少なくとも片面に凹凸が形成されることにより構成され、
前記直進透過部は、前記カバー部の内表面及び外表面を平滑に形成することにより構成された
ことを特徴とする支柱。
【請求項３】
請求項１又は２記載の支柱において、
前記直進透過部は、前記カバー部の前記発光体と対向する位置に配置されるとともに、前記光散乱部は、前記直進透過部の周方向両側に配置され、
前記光散乱部の一部が、前記発光体から発せられた光が広がる角度内に配置されることにより、
前記発光体から発せられた光の一部が前記光散乱部に当接して光が散乱するとともに、その他の光が前記直進透過部に当接して光が散乱しない状態で前記直進透過部を通過する
ことを特徴とする支柱。
【請求項４】
請求項１〜３のいずれかに記載の支柱において、
前記発光体は周方向所定間隔おきに複数配置されるとともに、
前記直進透過部は、各発光体に対向する位置に各々配置され、
前記光散乱部は、周方向において各直進透過部の間に配置されている
ことを特徴とする支柱。
【請求項５】
請求項１〜４のいずれかに記載の支柱において、
光エネルギーから電気を得る太陽電池を備え、この太陽電池で得られた電気により、前記発光体を発光する
ことを特徴とする支柱。
【発明の詳細な説明】
【技術分野】
【０００１】
本発明は、車止め等に使用する支柱に関するものである。
【背景技術】
【０００２】
従来、道路脇等に設置され、車止め等に使用される支柱の構造としては、例えば特許文献１に記載されたものが存在する。
【０００３】
この支柱の構造としては、発光体の上部に発光ユニット体を備え、この発光ユニット体には、ＬＥＤ等で構成された発光体が内蔵されている。
【０００４】
そして、この発光体から発せられた光は、発光ユニット内に構成された散光空隙、反射板等で散光され、さらに発光ユニットに形成された放射孔から発光ユニットの外部に放光される。
【０００５】
かかる構成を採ることにより、前記発光体から発せられた光を広範囲に亘って放光することが可能となり、広範囲から前記支柱の位置を認識することが可能となる。
【特許文献１】特開平７−２４７５２０号公報
【発明の開示】
【発明が解決しようとする課題】
【０００６】
前記のような構成を採ると、前記発光体から発せられた光はすべて散光されるため、広範囲に亘って放光することが可能となるが、その反面、光直進性がないため、かかる光を遠くまで届かせることが困難となる。したがって、かかる光を遠くから視認することが困難となり、例えば、夜間の自動車運転時等において、前記支柱の位置を早い段階で認識することが困難となる。
【０００７】
そこで、本発明は、前記発光体から発せられた光を広範囲に亘って認識することを可能とするとともに、遠距離からも前記光を認識することを可能とする支柱を提供することにより、前記課題を解決することを目的とする。
【課題を解決するための手段】
【０００８】
請求項１記載の発明は、下端部が地中に埋設される状態で設置される支柱本体と、この支柱本体に形成された発光ユニットとを備えた支柱であって、発光ユニットは、透光性を有するカバー部と、該カバー部内部に収納された発光体とを備え、前記カバー部は、前記発光体から発せられた光の一部を散乱させた状態で光を透過する光散乱部と、前記発光体から発せられた光のうち、前記光散乱部で散乱させられた光以外の光を散乱させずに透過する直進透過部とを備えたことを特徴とする。
【０００９】
請求項２記載の発明は、請求項１記載の支柱において、前記光散乱部は、前記カバー部の内表面及び外表面のうち、少なくとも片面に凹凸が形成されることにより構成され、前記直進透過部は、前記カバー部の内表面及び外表面を平滑に形成することにより構成されたことを特徴とする。
【００１０】
請求項３記載の発明は、請求項１又は２記載の支柱において、前記直進透過部は、前記カバー部の前記発光体と対向する位置に配置されるとともに、前記光散乱部は、前記直進透過部の周縁に配置され、前記光散乱部の一部が、前記発光体から発せられた光が広がる角度内に配置されることにより、前記発光体から発せられた光の一部が前記光散乱部に当接して光が散乱するとともに、その他の光が前記直進透過部に当接して光が散乱しない状態で前記直進透過部を通過することを特徴とする。
【００１１】
請求項４記載の発明は、請求項１〜３のいずれかに記載の支柱において、前記発光体は周方向所定間隔おきに複数配置されるとともに、前記直進透過部は、各発光体に対向する位置に各々配置され、前記光散乱部は、周方向において各直進透過部の間に配置されていることを特徴とする。
【００１２】
請求項５記載の発明は、請求項１〜４のいずれかに記載の支柱において、光エネルギーから電気を得る太陽電池を備え、この太陽電池で得られた電気により、前記発光体を発光することを特徴とする。
【発明の効果】
【００１３】
請求項１記載の発明によれば、前記カバー部は、前記発光体から発せられた光の一部を散乱させた状態で光を透過する光散乱部と、前記発光体から発せられた光のうち、前記光散乱部で散乱させられた光以外の光を散乱させずに透過する直進透過部とを備えているため、前記発光体から発せられた光は、散乱する光と、散乱せずに直進する光とが混在した状態で前記カバー部から放光されることになる。
【００１４】
したがって、前記発光体から発せられた光を、広範囲に亘って認識することを可能とするとともに、遠距離からも前記光を認識することを可能とする。
【００１５】
請求項２記載の発明によれば、前記光散乱部は、前記カバー部の内表面又は外表面に凹凸を形成し、前記直進透過部は、前記カバー部の内表面及び外表面を平滑に形成することにより構成することが可能となるため、簡素な構成で前記光散乱部及び前記直進透過部を構成することが可能となる。
【００１６】
請求項３記載の発明によれば、前記カバー部の前記発光体と対向する位置に前記直進透過部を配置し、前記直進透過部の周縁に前記光散乱部を配置するのみで、前記発光体から発せられた光の一部を前記光散乱部によって散乱させるとともに、その他の光は散乱しない状態で前記直進透過部を通過させることが可能となる。
【００１７】
請求項４記載の発明によれば、前記発光体が周方向所定間隔おきに複数配置されているため、様々な角度から前記光を認識することが容易となる。すなわち、前記光の視認性を高めることが可能となる。
【００１８】
請求項５記載の発明によれば、光エネルギーから電気を得る太陽電池を備え、太陽電池で得られた電気により前記発光体を発光する構成を採っているため、前記発光体を発光させる際、特別に外部から電源を供給しなくても、前記発光体を発光させることが可能となる。
【発明を実施するための最良の形態】
【００１９】
本発明の実施の形態につき、図１〜図３を用いて説明する。
【００２０】
支柱１は、図１に示すとおり、略円柱状に形成され、下端部が地中に埋設される状態で設置される本体部１０と、この本体部１０の上部に形成された本体に形成された発光ユニット２０と、発光ユニット２０の下部に配置された反射テープ３０とを備えている。
【００２１】
発光ユニット２０は、図２及び図３に示すとおり、透光性を有し、かつ、略円筒状の形状をなすカバー部２１を備えるとともに、このカバー部２１の内部には、発光体２２と、この発光体２２から発する光を反射する反射板２３と、発光体２２に電気を供給する電線２４と、電気の供給源となる太陽電池２５とを備えている。
【００２２】
発光体２２は、主にＬＥＤ等の発光素子が使用されており、カバー部２１の内表面と対向する状態で、カバー部２１の内表面の周方向において略９０°間隔で配置されている。すなわち、発光体２２は四個配置されている。
【００２３】
反射板２３は、その表面が略すり鉢状の形状をなし、そのすり鉢状の略頂点に該当する部分に発光体２２が配置されている。そして、発光体２２から発せられた光は、反射板２３により一定角度の範囲で広がる状態で放光される。
【００２４】
電線２４は、発光体２２と太陽電池２５とを連結する状態で配置され、この連結により太陽電池２５で生じた電気を発光体２２に供給する。
【００２５】
太陽電池２５は、発光体２２、反射板２３、及び、電線２４の上側に配置され、光エネルギーから電気を発生するソーラパネル２５ａと、発光体２２、反射板２３、及び、電線２４の下側に配置され、ソーラパネル２５ａで発生した電気を充電する蓄電池２５ｂと、発光体２２の発光時期や点灯回数を制御すべく、この蓄電池２５ｂから電線２４に供給される電気量を制御する制御部（図示せず）とを備えている。そして、ソーラパネル２５ａで発生した電気は一度蓄電池２５ｂに充電され、蓄電池２５ｂに充電された電気は、前記制御部によって制御された量が電線２４を通じて発光体２２に供給される。
【００２６】
カバー部２１は、発光体２２から発せられた光の一部を散乱させた状態で光を透過する光散乱部２１ａと、発光体２２から発せられた光のうち、光散乱部２１ａで散乱させられた光以外の光を散乱させずに透過する直進透過部２１ｂとを備えている。
【００２７】
光散乱部２１ａは、カバー部２１の内表面に凹凸が形成されることにより構成されており、直進透過部２１ｂは、このような凹凸が形成されず、カバー部２１の内表面及び外表面を平滑にすることにより構成されている。
【００２８】
また、直進透過部２１ｂは発光体２２と対向する位置に配置されるとともに、光散乱部２１ａは、その一部が発光体２２から発せられた光が広がる角度の範囲内に配置される状態で、直進透過部２１ｂの周方向両側に配置されている。すなわち、直進透過部２１ｂは、光散乱部２１ａの間に形成されることになる。
【００２９】
このような構成の支柱１においては、発光体２２から光を発すると、発光体２２から発せられた光の一部は、光散乱部２１ａに当接して光が散乱し、その散乱した光が光散乱部２１ａ内に拡散するとともに、その他の光は、直進透過部２１ｂに当接し、光が散乱しない状態で直進透過部２１ｂを通過する。
【００３０】
したがって、発光体２２から発せられた光の一部を散乱させることにより、広範囲に亘って発光体２２から発せられた光を認識することが可能となり、かつ、その他の光を直進させることにより、遠距離からも前記光を認識することが可能となる。
【００３１】
さらに、光散乱部２１ａは、カバー部２１の内表面に凹凸を形成し、前記直進透過部２１ｂは、カバー部２１の内表面及び外表面を平滑に形成することにより構成されているため、簡素な構成で光散乱部２１ａ及び直進透過部２１ｂを構成することが可能となる。
【００３２】
また、発光体２２は、カバー部２１の内表面の周方向において略９０°間隔で配置されている。すなわち、発光体２２は、周方向所定間隔おきに複数配置されているため、様々な角度から発光体２２から発せられた光を認識することが容易となり、前記光の視認性を高めることが可能となる。
【００３３】
さらに、この支柱１は、太陽電池２５を備え、この太陽電池２５で得られた電気により発光体２２を発光する構成を採っているため、発光体２２を発光させる際、特別に外部から電源を供給しなくても、発光させることが可能となる。
【００３４】
また、前記制御部で発光体２２の発光時期や点灯回数を制御することができるため、設置状況や時間帯等によって、発光体２２の発光状態を調節することが可能となる。
【００３５】
以上、本発明の実施形態について説明したが、本発明の具体的構成は前記実施形態に限定されず、特許請求の範囲内で種々変更可能である。以下に、他の実施形態について例示する。
【００３６】
一．光散乱部２１ａは、カバー部２１の内表面に凹凸を形成することにより形成されるものに限定されることはなく、例えば、カバー部２１の外表面に凹凸を形成することにより形成される構成や、カバー部２１の内表面及び外表面に凹凸を形成することにより形成される構成にしてもよい。
【００３７】
二．発光体２２に電気を供給する電源としては、必ずしも太陽電池２５を使用する必要はなく、例えば乾電池を使用したり、外部から電気を供給する構成にすることも可能である。しかしながら、乾電池を交換する手間の軽減、及び、外部から電力を供給する際に必要な配線を行う手間の軽減を行う観点からは、太陽電池２５を用いることがより好ましい。
【００３８】
三．発光体２２は、ＬＥＤに限定されるものではなく、例えば、フィラメント球、蛍光灯等を使用することも可能である。
【００３９】
四．発光体２２を配置する個数は特に限定されるものではなく、少なくとも一個以上配置すればよい。
【００４０】
五．支柱１及びカバー部２１の形状は、必ずしも円柱又は円筒、すなわち断面形状が円形である必要はなく、断面形状が四角形、六角形等である形状を採ることも可能である。
【図面の簡単な説明】
【００４１】
【図１】本発明の一実施形態にかかる支柱の概要を示す正面図である。
【図２】本発明の一実施形態にかかる支柱の発光ユニット周辺を示した部分断面正面図である。
【図３】本発明の一実施形態にかかる支柱の平面断面図である。
【符号の説明】
【００４２】
１    支柱
１０  本体部（支柱本体）
２０  発光ユニット
２１  カバー部
２１ａ      光散乱部
２１ｂ      直進透過部
２２  発光体
２５  太陽電池
【図１】
2005207024.tif 000003
【図２】
2005207024.tif 000004
【図３】
2005207024.tif 000005